(57)【要約】【課題】回転ブラシモータの冷却性を向上した電気掃除機を提供する。【解決手段】筒形状の回転ブラシと、回転ブラシを駆動する回転ブラシモータと、集塵ケースと、を有し、集塵ケースの流入口は、回転ブラシの周囲に配された自走式電気掃除機であって、回転ブラシモータは、回転ブラシ内部に収納されており、回転ブラシの外部、回転ブラシの内部、および流入口を通過する冷却風によって回転ブラシモータを冷却可能。【選択図】図４
2018011621.tif 000002
【特許請求の範囲】
【請求項１】
筒形状の回転ブラシと、
該回転ブラシを駆動する回転ブラシモータと、
集塵ケースと、を有し、
前記集塵ケースの流入口は、前記回転ブラシの周囲に配された自走式電気掃除機であって、
前記回転ブラシモータは、前記回転ブラシ内部に収納されており、
前記回転ブラシの外部、前記回転ブラシの内部、および前記流入口を通過する冷却風によって前記回転ブラシモータを冷却可能なことを特徴とする自走式電気掃除機。
【請求項２】
筒形状の回転ブラシと、
該回転ブラシを駆動する回転ブラシモータと、
集塵ケースと、を有し、
前記集塵ケースの流入口は、前記回転ブラシの周囲に配された自走式電気掃除機であって、
前記回転ブラシモータは、前記回転ブラシ内部に収納されており、
前記回転ブラシは、
該回転ブラシ内外を貫通する第１の冷却風流通部を底部に有し、
該回転ブラシ内外を貫通する第２の冷却風流通部を側周に有することを特徴とする自走式電気掃除機。
【請求項３】
前記回転ブラシモータは、自冷ファンを有していることを特徴とする請求項１又は２に記載の自走式電気掃除機。
【請求項４】
前記回転ブラシモータの軸方向と、前記回転ブラシの軸方向とは、略平行であり、
前記回転ブラシモータは、略円筒形状の電機子を有し、
前記自冷ファンは、前記電機子を挟んで、前記第１の冷却風流通部の反対側に位置していることを特徴とする請求項１乃至３何れか一項に記載の自走式電気掃除機。
【請求項５】
前記回転ブラシモータの温度を検知する温度検知部を有し、
前記回転ブラシモータの温度が高温であると検知した場合、前記回転ブラシの回転速度を低下させ、
前記回転ブラシモータの温度が、その後低下した場合、前記回転ブラシの回転速度を増加させることを特徴とする請求項１乃至４何れか一項に記載の自走式電気掃除機。
【発明の詳細な説明】
【技術分野】
【０００１】
本発明は、自走式電気掃除機に関する。
【背景技術】
【０００２】
電気掃除機のうち部屋を自律的に移動しながら掃除する自走式電気掃除機が知られている。自走式電気掃除機は、動力源として充電池を搭載し、主に前進しながらモータ駆動の回転ブラシを用いて塵埃を掻き込む。自走式電気掃除機は、搭載した充電池を動力源とするため、使用可能な電気容量に限界が存在する。そのため、電源コード付きの電気掃除機と比較して、電動送風機が発生できる吸引力は弱い。
【０００３】
特許文献１においては、塵埃の掻き込み能力の向上を目的としてモータ駆動の回転ブラシを２本備えた自走式電気掃除機が開示されている（特許請求の範囲参照）。
【先行技術文献】
【特許文献】
【０００４】
【特許文献１】特開２０１２−２４５３８６号公報
【発明の概要】
【発明が解決しようとする課題】
【０００５】
特許文献１に記載される自走式電気掃除機は、モータ駆動の回転ブラシを２本備えるため床面との抵抗が大きい。このため、特許文献１に記載される自走式電気掃除機では、高トルクを発生するモータの採用、又は、モータの減速比の増大が必要である。また、大きなごみの回収には大径の回転ブラシが望ましいが、回転ブラシを大径にしようとすると、回転ブラシに接続させるモータの配置レイアウトの工夫や、モータの冷却性を向上させることが求められる。
【課題を解決するための手段】
【０００６】
上記事情に鑑みてなされた第１の本発明は、筒形状の回転ブラシと、該回転ブラシを駆動する回転ブラシモータと、集塵ケースと、を有し、前記集塵ケースの流入口は、前記回転ブラシの周囲に配された自走式電気掃除機であって、前記回転ブラシモータは、前記回転ブラシ内部に収納されており、前記回転ブラシの外部、前記回転ブラシの内部、および前記流入口を通過する冷却風によって前記回転ブラシモータを冷却可能なことを特徴とする。
【０００７】
また、上記事情に鑑みてなされた第２の本発明は、筒形状の回転ブラシと、該回転ブラシを駆動する回転ブラシモータと、集塵ケースと、を有し、前記集塵ケースの流入口は、前記回転ブラシの周囲に配された自走式電気掃除機であって、前記回転ブラシモータは、前記回転ブラシ内部に収納されており、前記回転ブラシは、該回転ブラシ内外を貫通する第１の冷却風流通部を底部に有し、該回転ブラシ内外を貫通する第２の冷却風流通部を側周に有することを特徴とする。
【図面の簡単な説明】
【０００８】
【図１】実施形態に係る自走式電気掃除機の斜視図である。
【図２】実施形態に係る自走式電気掃除機の上ケースを取り外した状態の斜視図である。
【図３】実施形態に係る自走式電気掃除機の底面図である。
【図４】実施形態に係る回転ブラシを径方向から観察した図である。
【図５】実施形態に係る回転ブラシモータの（ａ）側面断面図、（ｂ）一部を透視した側面図である。
【図６】図１のＡ−Ａ断面図である。
【図７】実施形態に係る自走式電気掃除機本体における集塵ケースの位置関係を示す分解模式図である。
【図８】実施形態に係る自走式電気掃除機の制御装置、及び制御装置に接続される機器を示す構成図である。
【発明を実施するための形態】
【０００９】
以下、本発明の実施形態について、適宜、添付の図面を参照しながら詳細に説明する。同様の構成要素には同様の符号を付し、同様の説明は繰り返さない。
本実施形態は以下の内容に限定されるものではなく、本発明の趣旨の範囲内において適宜変更して実施可能である。
【００１０】
なお、自走式電気掃除機Ｃ（図１参照）が進行する向きのうち、主に進行する方向を前方、鉛直上向きを上方、駆動輪６１が対向する方向を左方及び右方とする。すなわち図１等に示す様に前後、上下、左右を定義する。
【００１１】
図１は、本実施形態に係る自走式電気掃除機Ｃを左前方から見下ろした斜視図である。
自走式電気掃除機Ｃは、所定の掃除領域（例えば、室内）を自律的に移動しながら掃除する掃除機である。自走式電気掃除機Ｃは、上壁（及び一部の側壁）である上ケース９１と、底壁（及び一部の側壁）である下ケース５１（図２参照）と、前部に設置されるバンパ９２と、を含んで構成される本体５０を備える。上ケース９１には、後記する集塵ケースＫを出し入れするための蓋９３が設けられている。
【００１２】
（本体５０）
図２は、上ケース９１を取り外した状態を左前方から見下ろした斜視図である。下ケース５１は、走行モータ５７、電動送風機８１、制御装置９５等を載置する筐体であり、その外形は薄型の円板状を呈している。
【００１３】
図３は、自走式電気掃除機Ｃの底面図である。下ケース５１には、下方に露出可能な駆動輪６１と、走行モータ５７と、減速機構とを含んで構成される駆動機構を収容する２つの駆動機構収容部５４と、サイドブラシ取付部８２と、吸込部１０を固定する孔部５２と、排気口５３と、充電池Ｂ（図４参照）を収納する電池収容部５５（図４参照）とが形成されている。
【００１４】
平面視で略円板状を呈する下ケース５１の左右両側に駆動機構収容部５４が形成されている。又、平面視で円形を呈する下ケース５１の中心付近であり、駆動機構収容部５４に挟まれた位置に排気口５３が複数形成されている。下ケース５１の中心よりも前側には、電池収容部５５が形成されている。電池収容部５５の左右には、サイドブラシ４０を取り付けるサイドブラシ取付部８２が形成されている。下ケース５１の中心よりも後側、つまり、排気口５３、及び、駆動機構収容部５４の後側に吸込部１０が固定される孔部５２が形成されている。
【００１５】
孔部５２に固定される吸込部１０は、吸引口１７（図７参照）が形成されるとともに、掻取りブラシ１、及び回転ブラシモータ２１を収容した回転ブラシ５、を収容する部材である。
【００１６】
（駆動輪６１）
図３に示す様に、駆動輪６１は、駆動輪６１自体が回転することで本体５０を前進、後退、旋回させることができる車輪である。駆動輪６１は、左右両側に配置されている。
【００１７】
（支持機構）
図３に示す駆動機構収容部５４に収容される支持機構は、駆動輪６１を本体５０に支持する機構である。支持機構は、駆動輪６１を支持するアーム７１を含む。
【００１８】
（前方蓋５６）
図３に示す様に、前方蓋５６は、下ケース５１に形成された電池収容部５５（図６参照）の開口を下ケース５１の下面から塞ぐ略長方形板状の部材である。前方蓋５６は、前部中央付近に係止爪５６ａを備え、後部左右両側にネジ孔を有する張出部５６ｂを備える。前方蓋５６は、係止爪５６ａと、ネジ孔に挿通されたネジとにより下ケース５１に下方から固定される。また、前方蓋５６は、下ケース５１の中心側付近に補助輪８３を取り付ける円形の補助輪取付部８４を備える。さらに前方蓋５６は、下ケース５１に取り付けた状態において、サイドブラシ４０の回転軸と、下ケース５１の略中心位置とを結ぶ線上位置にガイドブラシ（Ｌ）４５を固定する溝部を備える。ガイドブラシ（Ｌ）４５（刷毛部材）は、この溝部に備わる。
【００１９】
（補助輪８３）
図３に示す様に、補助輪８３は、本体５０を床面から所定高さで保ちつつ自走式電気掃除機Ｃを円滑に移動させるための補助的な車輪である。補助輪８３は、本体５０の移動に伴い床面との間で生じる摩擦力によって従動回転するように軸支されている。又、補助輪８３は、向きが水平方向に３６０°回転自在に構成されている。なお、図３に示す補助輪８３は、本体５０の前方の左右方向の中央に設けられ、補助輪取付部８４に取り付けられている。
【００２０】
（回転ブラシ５）
図４（ａ），（ｂ）は、筒形状の回転ブラシ５を径方向から観察した図である。回転ブラシ５は水平方向に回転軸を有する略円筒形のブラシであり、本実施形態では駆動輪６１の回転中心を通る軸（左右方向）に略並行に配置されている（図３参照）。回転ブラシ５は、長手方向（左右方向）にかけて、一端側から他端側まで連続して設けられている。回転ブラシ５は、吸込部１０に回転可能に支持されており、回転ブラシ５の内部に収容された回転ブラシモータ２１（図５参照）により、第一の回転方向に回転駆動する様になっている。回転ブラシの直径は、収容する回転ブラシモータ２１に冷却風を送り易くしつつ、また、大きな塵埃も回収可能にすべく、例えば45ｍｍ以上にすることができる。
【００２１】
回転ブラシモータ２１は、本体５０の前進時に駆動輪６１が回転する方向と同じ方向に回転ブラシ５は回転させることができる。本実施形態では、後進時に駆動輪６１の回転方向が変わっても（反転しても）、回転ブラシ５の回転方向は、床面側が後から前に向かって動く第一の回転方向に維持できる。また、回転ブラシ５は、外周面から法線方向に突出する植毛５ｃを備えている。ここで、回転ブラシ５の植毛５ｃは、長さが異なる植毛、硬さが異なる植毛など複数種類の植毛を備え、各植毛が回転軸に対してらせん状に列をなす様に配設されていてもよい。
【００２２】
回転ブラシ５は、軸方向に略直交する底面の一方又は両方に、回転ブラシ５内外を貫通させる第１の冷却風流通部５ｉを有しており、さらに、径方向に略直交する側表面に、回転ブラシ５内外を貫通させる孔５ｈ（図４（ａ）参照）や、スリット５ｓ（図４（ｂ）参照）といった第２の冷却風流通部を有している。第１の冷却風流通部５ｉは、回転ブラシ５を無底筒状にして内外を連通させることで設けさせても良いし、底部の一部に、側表面と同様に孔やスリットを設けることで実現しても良い。本実施形態では、第１の冷却風流通部５ｉは、回転ブラシ５の一方側の底部に設けられている。第２の冷却風流通部は、回転ブラシ５側表面に設けられていれば特に形状や個数、配置は制限されないが、植毛５ｃが設けられている領域外に少なくとも一部を設けると、冷却風の流通を円滑にできる。また、第２の冷却風流通部の一部又は全部は、軸方向について、後述する回転ブラシモータ２１を挟んで第１の冷却風流通部５ｉと反対側に位置すると好ましい。
【００２３】
第２の冷却風流通部は、孔形状であれば、回転ブラシ５内部に塵埃が混入することを抑制し易く、スリット形状であれば、効果的に冷却風を流通させることができる。第２の冷却風流通部は、回転ブラシ５を軸方向から観察した際に、複数の方向に分けて設けられていると好ましい。このようにすると、回転ブラシ５の回転位置に拘らず、冷却風を後述する集塵ケースＫに向けて排出できる。
【００２４】
図５（ａ）は、回転ブラシモータ２１の側面断面図である。回転ブラシモータ２１は、回転ブラシ５内周面に、自身の軸方向が回転ブラシ５の軸方向に略平行になるように取付けられている略円筒形状のモータである。回転ブラシモータ２１は、回転ブラシ５の回転軸に対して、公知のギア等を介して接続させることができる。回転ブラシモータ２１は、それ自身の内部に、又はその近傍に自冷ファン２１０を有している。自冷ファン２１０は、回転ブラシモータ２１の円筒形状の電機子２１１を挟んで、第１の冷却風流通部５ｉの反対側に位置している。これにより、回転ブラシ５内に流入した冷却風を回転ブラシモータ２１に案内し、さらに第２の冷却風流通部に向けて排出し易い。
【００２５】
図５（ｂ）は、回転ブラシモータ２１の一部を透視した側面図である。回転ブラシモータ２１は、自冷ファン２１０より下流側に温度検知部２１２を有している。温度検知部２１２としては例えばサーミスタを採用できる。温度検知部２１２は、モータハウジング温度を検知し、制御装置９５にその情報を送信できる。制御装置９５は、温度検知部２１２の温度が所定値以上になったことを検出したら、回転ブラシモータ２１への入力を低減させ、この所定値より低い温度になったことを検出したら、回転ブラシモータ２１への入力を元に戻す又は低減させた値よりも大きい値にする。こうすることで、回転ブラシモータ２１の過熱を抑制できる。
【００２６】
（風路）
図６は、図１のＡ−Ａ断面図である。自走式電気掃除機Ｃは、回転ブラシ５を収納した吸込部１０から下流側に向かって順に、集塵ケースＫ、集塵フィルタＦ、電動送風機８１、及び、排気口５３（図３参照）と空気が流通可能な流路を形成している。吸込部１０は、吸引口１７が形成されるとともに、回転ブラシ５、掻取りブラシ１、を収容する部材である（図３参照）。
【００２７】
床面から回収された塵埃は、電動送風機８１によって生ずる空気流及び回転ブラシ５によって掻き上げられて、回転ブラシ５上後方の集塵ケースＫの流入口Ｋ１から集塵ケースＫ内に進入し、集塵フィルタＦで分離される。塵埃が分離した空気は排気口５３から自走式電気掃除機Ｃ外部に排出される。
【００２８】
図３乃至図６に示すように、回転ブラシ５の第１の冷却風流通部５ｉから回転ブラシ５内に進入した空気流は、自冷ファン２１０、第２の冷却風流通部を通った後、集塵ケースＫの流入口Ｋ１から集塵ケースＫ内に進入し、さらに自走式電気掃除機Ｃの底面に設けられた排気口５３から自走式電気掃除機Ｃ外部に排出される。
【００２９】
（バンパ９２）
図４は、図１のＡ−Ａ線で切断した側断面図である。バンパ９２は、外部から作用する押圧力に応じて前後方向で移動可能に設置されている。バンパ９２は、左右一対のバンパばね（図示省略）によって前方向に付勢されている。バンパばねは、その先端がＪ字状に湾曲しており、この湾曲箇所がバンパ９２の内壁面に接している。バンパ９２を介して障害物からの抗力がバンパばねに作用すると、バンパばねは変形し、バンパ９２を前方向に付勢しつつバンパ９２の後退を許容する。バンパ９２が障害物から離れて前記した抗力がなくなると、バンパばねの付勢力によってバンパ９２は元の位置に戻る。ちなみに、バンパ９２の後退（つまり、障害物との接触）は、後記するセンサ類９６（赤外線センサ）によって検知され、その検知結果が制御装置９５（図１４参照）に入力される。
【００３０】
（電池収容部５５）
図４に示す様に、電池収容部５５は、下ケース５１に形成された内部に充電池Ｂを収容する空間であり、壁面で囲まれた下向きに開口を有して構成される。
【００３１】
（サイドブラシ４０）
図３に示すサイドブラシ４０は、略上下方向に回転軸を備えるブラシである。サイドブラシ４０自体が回転駆動されることで、本体５０よりも外側にある部屋の隅などの回転ブラシ５を届かせることが容易ではない場所の塵埃を吸込部１０（吸引口１７）に導くことができる。サイドブラシ４０の一部は、平面視で本体５０から露出している。サイドブラシ４０は、平面視において１２０°間隔で放射状に延びる３束の刷毛を有し、吸込部１０よりも前方において左右に配置されている。右側のサイドブラシ４０は、その根元がサイドブラシホルダ４１に固定されている。サイドブラシ４０の植毛は、先端に向かうにつれて床面に近づくように傾斜しており、その先端付近は床面に接している。
【００３２】
サイドブラシホルダ４１は、下ケース５１の底面付近に設置され、サイドブラシモータ４２に連結されている（図２参照）。サイドブラシモータ４２が駆動することで、サイドブラシ４０が内側に向けて（図３に付した矢印の方向に）回転し、左右のガイドブラシ（Ｌ）４５の間に塵埃を掻き集めるようになっている。なお、左側のサイドブラシ４０についても同様である。
【００３３】
（ガイドブラシＬ）
図３に示すガイドブラシ（Ｌ）４５は、前方蓋５６の溝部に固定された植毛である。サイドブラシ４０の回転軸と、アーム（サスペンションアーム）７１の斜辺（ガイドブラシ４７の前端付近）とを結ぶ位置に配置される。ガイドブラシ（Ｌ）４５は、サイドブラシ４０が掻き集めた塵埃を左右のガイドブラシ（Ｍ）４７の間に誘導し、吸込部１０に導くブラシである。ガイドブラシ（Ｌ）４５は、使用時において清掃対象（床面、絨毯）に接触する長さが好ましい。これにより、塵埃をガイドブラシ（Ｌ）４５の間から逃さない様にすることができる。ガイドブラシ（Ｌ）４５の植毛の材質や長さ等は、これらに限られることはなく、適宜選択可能である。
【００３４】
（ガイドブラシＭ）
図３に示すガイドブラシ（Ｍ）４７は、アーム（サスペンションアーム）７１の溝部に固定された植毛である。ガイドブラシ（Ｍ）４７は、回転ブラシ収容部の側壁の延長線上の内側、かつ、駆動輪６１と略平行な方向に並んで配置される。アーム（サスペンションアーム）７１は、駆動輪６１に対して左右方向の内側に、前後方向に沿った回動軸が位置し、駆動輪６１を上下方向に回動させることが可能な部材である。
【００３５】
ガイドブラシ（Ｍ）４７は、サイドブラシ４０が掻き集めた塵埃を、ガイドブラシ（Ｌ）４５を経て吸込部１０に導くブラシである。ガイドブラシ（Ｍ）４７は、使用時においてアーム７１が上下動しても常に清掃対象に接触する長さが好ましい。ガイドブラシ（Ｍ）４７の植毛の材質や長さ等は、これらに限られることはなく、適宜選択可能である。
【００３６】
（電動送風機８１）
図６に示す電動送風機８１は、回転駆動することで集塵ケースＫ内の空気を外部に排出して負圧を発生させ、床面から吸引口１７（吸込部１０）を介して塵埃を吸い込む機能を有している。電動送風機８１の外周面には弾性体８０が設置されている。このように弾性体を介在させることで、電動送風機８１の振動が減衰して本体５０に伝わりにくくなり、本体５０の振動、騒音を低減できる。なお、図２に例示する様に、本実施形態では、電動送風機８１は下ケース５１の中心付近に配置されている。
【００３７】
図７は、本体５０内における、吸込部１０（吸引口１７）と、集塵ケースＫと、電動送風機８１との位置関係を示す模式図である。図７に示す様に、吸引口１７から下流側に向かって順に、集塵ケースＫ、集塵フィルタＦ、電動送風機８１、及び、排気口５３（図３参照）が設けられている。吸引口１７付近には、床面上の塵埃を掻き込む回転ブラシ５が設けられている（図３参照）。電動送風機８１及び回転ブラシモータ２１が駆動すると、床面等の塵埃は吸引口１７（吸込部１０）を介して吸引され、回転ブラシ５（図３参照）によって掻き込まれる。この塵埃は、流入口Ｋ１を介して集塵ケースＫに導かれる。集塵フィルタＦで塵埃が取り除かれた空気は、排気口５３（図３参照）を介して本体５０から排出される。なお、集塵ケースＫは、上ケース９１に設けられた蓋９３（図１参照）を開けることで着脱可能である。
【００３８】
（センサ類）
図８は、自走式電気掃除機の制御装置９５、及び制御装置９５に接続される機器を示す概略構成図である。バンパセンサ（障害物検知手段）は、バンパ９２の後退（つまり、障害物との接触）を検知する赤外線センサである。図４に示すように、本体５０の前方に赤外線センサを備える。例えば、バンパ９２に障害物が接触した場合、センサ光（の反射光）の受光時間が短くなる。この受光時間の変化に応じた検知信号が制御装置９５に出力される。
【００３９】
測距センサ（障害物検知手段）は、障害物までの距離を検出する赤外線センサである。本実施形態では、正面３箇所と側面２箇所の計５か所に測距センサを設けた。
【００４０】
測距センサは、赤外線を発光させる発光部（図示せず）と、赤外線が障害物で反射して戻ってくる反射光を受光する受光部（図示せず）と、を有している。この受光部によって検出される反射光の強さに基づいて、障害物までの距離が算出される。なお、バンパ９２のうち少なくとも測距センサの近傍は、赤外線を透過させる樹脂又はガラスで形成されている。
【００４１】
ちなみに、測距センサとして他の種類のセンサ（例えば、超音波センサ、可視光センサ）を用いてもよい。また、測距センサのいくつかを障害物の有無のみを判定するセンサ(設定された距離以内に障害物が存在するかを判定)とし、コスト低減を図ることも可能である。
【００４２】
床面用測距センサ（障害物検知手段）は、床面までの距離を計測する赤外線センサであり、下ケース５１の下面前後左右４か所に設置されている（図３参照）。床面用測距センサによって階段等の大きな段差を検知することで、自走式電気掃除機Ｃの（階段などからの）落下を抑制できる。例えば、床面用測距センサによって前方に３０ｍｍ程度の段差が検知された場合、制御装置９５は走行モータを制御して本体５０を後退させ、進行方向を転換させる。ここで、床面用測距センサのいくつか、例えば使用頻度の少ない後部のセンサは段差の有無のみ(設定された距離以上の段差が存在するか)を判定するセンサとし、コスト低減を図ることも可能である。
【００４３】
走行モータ電流計測器は、走行モータの電機子巻線に流れる電流を計測する計測器である。同様に、電動送風機用電流計測器は電動送風機８１の電流値を計測し、回転ブラシモータ用電流計測器は回転ブラシモータ２１の電流値を計測する。２つのサイドブラシモータ用電流計測器はサイドブラシモータ４２の電流値を計測する。それぞれの電流計測器は、計測した電流値を制御装置９５に出力する。これにより、例えば回転ブラシに異物が絡まり回転が停止した異常を検知でき、表示パネル（図示省略）によりユーザに報知できる。
【００４４】
（集塵ケースＫ）
集塵ケースＫは、床面から吸引口１７（吸込部１０）を介して吸いこまれた塵埃を回収する容器である。集塵ケースＫは、回収した塵埃を収容する本体と、回収した塵埃を取出し可能とする蓋Ｋ２と、折り畳み可能な取っ手Ｋ３とを備える。集塵ケース本体は、下面が吸込部１０の上部の形状に対応するように構成される形状であり、吸引口１７に対向する位置には吸引口１７に対応する形状の流入口Ｋ１を備え、全体として略直方体形状である。蓋Ｋ２は、電動送風機の吸引口に対向し、集塵フィルタＦを備える。取っ手は、本体の上部に備わる。
【符号の説明】
【００４５】
１      掻取りブラシ
２      植毛
４      回転軸
５      回転ブラシ
５ｃ    植毛
５ｉ    第１の冷却風流通部
５ｈ    孔（第２の冷却風流通部）
５ｓ    スリット（第２の冷却風流通部）
１０    吸込部
１７    吸引口
２１    回転ブラシモータ
２１０  自冷ファン
２１１  電機子
２１２  温度検知部
２２    動力伝達機構
４０    サイドブラシ
４１    サイドブラシホルダ
４２    サイドブラシモータ
４５    ガイドブラシ（Ｌ）
４７    ガイドブラシ（Ｍ）
４９    ガイドブラシ（Ｓ）
５０    本体
５１    下ケース
５２    孔部
５３    排気口
５４    駆動機構収容部
５５    電池収容部
５６    前方蓋
５６ａ  係止爪
５６ｂ  張出部
６１    駆動輪
７０    支持機構
７１    アーム（サスペンション）
８１    電動送風機
８２    サイドブラシ取付部
８３    補助輪
８４    補助輪取付部
９１    上ケース
９２    バンパ
９３    蓋
９５    制御装置
９６    センサ類（障害物検知手段）
９７    操作ボタン
Ｃ      自走式電気掃除機
Ｋ      集塵ケース
Ｋ１    流入口
Ｆ      集塵フィルタ
Ｂ      充電池
Ｍ１    掃除面
【図１】
2018011621.tif 000003
【図２】
2018011621.tif 000004
【図３】
2018011621.tif 000005
【図４】
2018011621.tif 000006
【図５】
2018011621.tif 000007
【図６】
2018011621.tif 000008
【図７】
2018011621.tif 000009
【図８】
2018011621.tif 000010